(57)【要約】【課題】利用者の労力を軽減しつつ、移動可能機器の管理を高精度に行える機器管理システムを提供する。【解決手段】  機器管理システム１００は、移動機器２に装着される無線表示器１０と、無線表示器１０に接近されることで無線表示器１０と近距離無線通信を行う端末２０と、無線表示器１０と通信可能な態様でネットワークＮＷ２に接続される管理サーバ４０と、を備える。無線表示器１０は、装着される移動機器２に関する情報を表示する情報表示部１３と、管理サーバ４０と通信する無線通信部１１と、端末２０と近距離無線通信を行う近距離無線通信部１２と、を有する。無線表示器１０は、近距離無線通信部１２において端末２０から送信された出力信号を受信することを契機として、移動機器２の利用開始又は利用終了に関する情報を含む利用状況通知信号を無線通信部１１から管理サーバ４０に対して送信する。【選択図】図１６
2017117174.tif 000002
【特許請求の範囲】
【請求項１】
移動可能に構成された移動可能機器に装着される無線表示器と、
前記無線表示器に接近されることで前記無線表示器と近距離無線通信を行う端末通信部を有する情報処理端末と、
前記無線表示器と通信可能な態様で通信ネットワークに接続されるサーバ通信部を有する管理サーバと、
を備え、
前記無線表示器は、装着される前記移動可能機器に関する情報を表示する表示部と、前記通信ネットワークを介して前記管理サーバと通信する無線通信部と、前記情報処理端末と近距離無線通信を行う近距離無線通信部と、を有し、前記近距離無線通信部において前記情報処理端末から送信された出力信号を受信することを契機として、前記移動可能機器の利用開始又は利用終了に関する情報を含む利用状況通知情報を、前記無線通信部から前記管理サーバに対して送信する、
機器管理システム。
【請求項２】
前記管理サーバは、受信する前記利用状況通知情報に基づき前記移動可能機器の利用状況を記憶する利用状況記憶部をさらに有する、
請求項１に記載の機器管理システム。
【請求項３】
前記情報処理端末は、自己を識別する識別情報を記憶する識別情報記憶部をさらに有し、
前記端末通信部は、前記出力信号を送信する際、前記識別情報記憶部に記憶される前記識別情報を送信する、
請求項１又は２に記載の機器管理システム。
【請求項４】
前記無線表示器は、受信した前記識別情報を前記利用状況通知情報に含めて前記無線通信部から前記管理サーバに対して送信し、
前記管理サーバは、受信した前記利用状況通知情報に含まれる前記識別情報に基づき、前記移動可能機器の利用者を特定する利用者特定部をさらに有する、
請求項３に記載の機器管理システム。
【請求項５】
前記管理サーバは、前記利用者特定部によって特定された前記利用者に係る利用者情報を前記サーバ通信部から前記無線表示器に対して送信し、
前記無線表示器は、受信した前記利用者情報を前記表示部において表示する、
請求項４に記載の機器管理システム。
【請求項６】
前記利用状況通知情報は、前記通信ネットワークを構成するアクセスポイントによって中継されることで、前記管理サーバへ送られ、
前記管理サーバは、受信した前記利用状況通知情報に添付された中継元の前記アクセスポイントを特定する情報に基づき、前記無線表示器の所在位置を特定することで前記移動可能機器の位置を特定する位置特定部をさらに有する、
請求項１から５のいずれか１項に記載の機器管理システム。
【請求項７】
前記管理サーバは、前記位置特定部によって所在位置を特定された前記移動可能機器に関する表示データを生成する表示データ生成部をさらに有し、前記表示データ生成部によって生成された表示データを、前記サーバ通信部から対応する前記無線表示器に対して送信し、
前記無線表示器は、受信した前記表示データを前記表示部において表示する、
請求項６に記載の機器管理システム。
【請求項８】
前記管理サーバは、受信した前記利用状況通知情報に基づき、前記移動可能機器の利用時間を、前記位置特定部によって特定された前記移動可能機器の所在位置別に特定する利用時間特定部をさらに有する、
請求項６又は７に記載の機器管理システム。
【請求項９】
前記情報処理端末は、スマートフォン又はタブレットを含む携帯通信端末である、
請求項１から８のいずれか１項に記載の機器管理システム。
【発明の詳細な説明】
【技術分野】
【０００１】
本発明は、機器管理システムに関する。
【背景技術】
【０００２】
従来、病院や倉庫等の施設において、移動可能な機器（移動可能機器）の利用状況を管理サーバで管理する機器管理システムが提案されている。例えば、特許文献１（特開２０１５−１７００００号公報）には、病院に設置された移動可能機器の利用開始や利用終了時に、病院のスタッフが情報処理端末から管理サーバに対して利用に係る移動可能機器や利用者等を特定する情報を送信することで、管理サーバにおいて移動可能機器の利用状況を登録する機器管理システムが開示されている。
【発明の概要】
【発明が解決しようとする課題】
【０００３】
しかし、特許文献１によると、管理サーバにおいて移動可能機器の利用状況を登録する際（すなわち、移動可能機器を利用する際）に、人手を介して情報処理端末に所定の情報を入力する必要がある。このため、利用者は、移動可能機器の利用の都度、情報処理端末に情報を入力する労力を強いられる。また、情報処理端末に情報が誤って入力された場合には、管理サーバにおいて移動可能機器の利用状況が正確に登録されない。すなわち、移動可能機器の管理を精度よく行えないことも想定される。
【０００４】
そこで、本発明の課題は、利用者の労力を軽減しつつ、移動可能機器の管理を高精度に行える機器管理システムを提供することである。
【課題を解決するための手段】
【０００５】
本発明の第１観点に係る機器管理システムは、無線表示器と、情報処理端末と、管理サーバと、を備える。無線表示器は、移動可能機器に装着される。移動可能機器は、移動可能に構成された機器である。情報処理端末は、端末通信部を有する。端末通信部は、無線表示器に接近されることで無線表示器と近距離無線通信を行う。管理サーバは、サーバ通信部を有する。サーバ通信部は、無線表示器と通信可能な態様で通信ネットワークに接続される。無線表示器は、表示部と、無線通信部と、近距離無線通信部と、を有する。表示部は、装着される移動可能機器に関する情報を表示する。無線通信部は、通信ネットワークを介して管理サーバと通信する。近距離無線通信部は、情報処理端末と近距離無線通信を行う。無線表示器は、近距離無線通信部において情報処理端末から送信された出力信号を受信することを契機として、利用状況通知情報を無線通信部から管理サーバに対して送信する。利用状況通知情報は、移動可能機器の利用開始又は利用終了に関する情報を含む。
【０００６】
本発明の第１観点に係る機器管理システムでは、無線表示器は、近距離無線通信部において情報処理端末から送信された出力信号を受信することを契機として、移動可能機器の利用開始又は利用終了に関する情報を含む利用状況通知情報を、無線通信部から管理サーバに対して送信する。これにより、情報処理端末が無線表示器に対して接近されると、利用状況通知情報が無線表示器から管理サーバに対して送信される。その結果、管理サーバにおいて移動可能機器の利用状況を登録する前提として、情報処理端末に利用状況通知情報が人手を介して入力されなくても、管理サーバに対して移動可能機器の利用状況を通知することが可能となる。すなわち、移動可能機器を利用する際に、利用者は情報処理端末に利用状況通知情報を入力する必要がない。よって、利用者の労力が軽減される。また、情報処理端末への情報の誤入力によって、管理サーバにおいて移動可能機器の利用状況が正確に登録されない事態が抑制される。よって、利便性が向上するとともに移動可能機器の管理を高精度に行える。
【０００７】
本発明の第２観点に係る機器管理システムは、第１観点に係る機器管理システムであって、管理サーバは、利用状況記憶部をさらに有する。利用状況記憶部は、受信する利用状況通知情報に基づき、移動可能機器の利用状況を記憶する。
【０００８】
これにより、情報処理端末を無線表示器に対して接近させると、管理サーバにおいて移動可能機器の利用状況が登録される。すなわち、移動可能機器を利用する際に、利用者が情報処理端末に利用状況通知情報を入力しなくても、管理サーバにおいて移動可能機器の利用状況が自動的に登録されうる。よって、利便性が向上するとともに、移動可能機器の管理を高精度に行える。
【０００９】
本発明の第３観点に係る機器管理システムは、第１観点又は第２観点に係る機器管理システムであって、情報処理端末は、識別情報記憶部をさらに有する。識別情報記憶部は、識別情報を記憶する。識別情報は、情報処理端末を識別する情報である。端末通信部は、出力信号を送信する際、識別情報記憶部に記憶される識別情報を送信する。
【００１０】
これにより、情報処理端末を無線表示器に対して接近させると、無線表示器に対して識別情報が送信され、無線表示器から管理サーバに対して識別情報を送信することが可能となる。すなわち、移動可能機器の利用開始時に、情報処理端末が利用者によって無線表示器に対して接近されると、管理サーバにおいて識別情報に基づき登録に係る処理を行うことが可能となる。よって、利便性がさらに向上するとともに、移動可能機器の管理をさらに詳細に行える。
【００１１】
本発明の第４観点に係る機器管理システムは、第３観点に係る機器管理システムであって、無線表示器は、受信した識別情報を、利用状況通知情報に含めて、無線通信部から管理サーバに対して送信する。管理サーバは、利用者特定部をさらに有する。利用者特定部は、受信した利用状況通知情報に含まれる識別情報に基づき、移動可能機器の利用者を特定する。
【００１２】
これにより、移動可能機器の利用開始時に、情報処理端末が利用者によって無線表示器に対して接近されると、管理サーバにおいて識別情報に基づき利用者が特定される。よって、利便性がさらに向上するとともに、移動可能機器の管理をさらに詳細に行える。
【００１３】
本発明の第５観点に係る機器管理システムは、第４観点に係る機器管理システムであって、管理サーバは、利用者情報をサーバ通信部から無線表示器に対して送信する。利用者情報は、利用者特定部によって特定された利用者に係る情報である。無線表示器は、受信した利用者情報を、表示部において表示する。これにより、移動可能機器に装着された無線表示器において利用者が表示される。その結果、移動可能機器の利用者を視認者に対して報知することが可能となる。よって、利便性がさらに向上するとともに、移動可能機器の管理をさらに詳細に行える。
【００１４】
本発明の第６観点に係る機器管理システムは、第１観点から第５観点のいずれかに係る機器管理システムであって、利用状況通知情報は、アクセスポイントによって中継されることで、管理サーバへ送られる。アクセスポイントは、通信ネットワークを構成する。管理サーバは、位置特定部をさらに有する。位置特定部は、受信した利用状況通知情報に添付された中継元のアクセスポイントを特定する情報に基づき無線表示器の所在位置を特定することで、移動可能機器の位置を特定する。
【００１５】
これにより、管理サーバにおいて移動可能機器の所在位置が特定される。よって、利便性がさらに向上するとともに、移動可能機器の管理をさらに詳細に行える。
【００１６】
本発明の第７観点に係る機器管理システムは、第６観点に係る機器管理システムであって、管理サーバは、表示データ生成部をさらに有する。表示データ生成部は、位置特定部によって所在位置を特定された移動可能機器に関する表示データを生成する。管理サーバは、表示データ生成部によって生成された表示データを、サーバ通信部から対応する無線表示器に対して送信する。無線表示器は、受信した表示データを、表示部において表示する。
【００１７】
これにより、管理サーバにおいて特定した移動可能機器の所在位置に基づく表示データが生成され、係る表示データが無線表示器において表示される。すなわち、無線表示器において移動可能機器の所在位置に応じた情報を表示することが可能となる。例えば、移動可能機器が、許容された移動範囲外に持ち出された場合には、無線表示器において移動可能機器の利用中止を警告する情報を表示することが可能となる。また、例えば、移動可能機器が、所定時間を超えて同一の所在位置に留まっている場合には、無線表示器において移動可能機器の返却を警告する情報を表示することが可能となる。よって、利便性がさらに向上するとともに、移動可能機器の管理をさらに詳細に行える。
【００１８】
本発明の第８観点に係る機器管理システムは、第６観点又は第７観点に係る機器管理システムであって、管理サーバは、利用時間特定部をさらに有する。利用時間特定部は、受信した利用状況通知情報に基づき、移動可能機器の利用時間を、位置特定部によって特定された移動可能機器の所在位置別に特定する。
【００１９】
これにより、管理サーバにおいて、移動可能機器の利用時間が所在位置別に特定される。その結果、特定された所在位置別の利用時間に基づき、移動可能機器の利用に関する各種情報管理を行うことが可能となる。例えば、所在位置毎の利用時間の集計を行うことが可能となる。よって、利便性がさらに向上するとともに、移動可能機器の管理をさらに詳細に行える。
【００２０】
本発明の第９観点に係る機器管理システムは、第１観点から第８観点のいずれかに係る機器管理システムであって、情報処理端末は、携帯通信端末である。携帯通信端末には、スマートフォン又はタブレットが含まれる。
【００２１】
これにより、汎用的な情報処理端末を用いてシステムを構築することが可能となり、システム構築に係るコストを抑制することが可能となる。
【発明の効果】
【００２２】
本発明に係る機器管理システムでは、管理サーバにおいて移動可能機器の利用状況を登録する前提として、情報処理端末に利用状況通知情報が人手を介して入力されなくても、管理サーバに対して移動可能機器の利用状況を通知することが可能となる。すなわち、移動可能機器を利用する際に、利用者は情報処理端末に利用状況通知情報を入力する必要がない。よって、利用者の労力が軽減される。また、情報処理端末への情報の誤入力によって、管理サーバにおいて移動可能機器の利用状況が正確に登録されない事態が抑制される。よって、利便性が向上するとともに移動可能機器の管理を高精度に行える。
【図面の簡単な説明】
【００２３】
【図１】機器管理システムの概略構成図。
【図２】無線表示器の正面外観図。
【図３】無線表示器の概略構成を示したブロック図。
【図４】端末の概略構成を示したブロック図。
【図５】管理サーバの概略構成を示したブロック図。
【図６】端末所持者テーブルの模式図。
【図７】表示器設置テーブルの模式図。
【図８】ＡＰ設置テーブルの模式図。
【図９】機器利用状況テーブルの模式図。
【図１０】利用履歴テーブルの模式図。
【図１１】利用表示データが無線表示器において表示情報として表示される際の一例を示した模式図。
【図１２】利用可能表示データが無線表示器において表示情報として表示される際の一例を示した模式図。
【図１３】時間超過表示データが無線表示器において表示情報として表示される際の一例を示した模式図。
【図１４】無線表示器の処理の流れの一例を示したフローチャート。
【図１５】管理サーバの処理の流れの一例を示したフローチャート。
【図１６】機器管理システムにおいて、無線表示器、端末、アクセスポイント、及び管理サーバ間で行われる処理の一例を模式的に示したシーケンス図。
【図１７】警告表示データが無線表示器において表示情報として表示される際の一例を示した模式図。
【発明を実施するための形態】
【００２４】
以下、図面を参照しながら、本発明の一実施形態に係る機器管理システム１００について説明する。なお、以下の実施形態は、本発明の具体例であって、本発明の技術的範囲を限定するものではなく、発明の要旨を逸脱しない範囲で適宜変更が可能である。
【００２５】
（１）機器管理システム１００の概要
図１は、機器管理システム１００の概略構成図である。本実施形態に係る機器管理システム１００は、病院や健診センター等の医療施設１に適用されており、医療施設１内で使用される複数の移動機器２を管理するためのシステムである。なお、移動機器２は、移動が可能な「移動可能機器」の一例であり、例えば、輸液ポンプ、人工呼吸器、又は車椅子等である。
【００２６】
各移動機器２は、利用されない時（不利用時）には医療施設１内における所定の保管場所に保管されている。各移動機器２は、利用される時（利用時）に、医療施設１のスタッフＳＴによって利用開始手続を行われた後に保管場所から持ち出される。また、各移動機器２は、利用終了後には利用終了手続が行われてから保管場所へ返却されることを想定している。医療施設１において、各移動機器２には、固有の識別番号（機器識別番号）が予め割り振られている。
【００２７】
機器管理システム１００は、主として、複数の無線表示器１０と、複数の端末２０と、複数のアクセスポイント３０と、管理サーバ４０と、を有する。
【００２８】
各無線表示器１０は、いずれかの移動機器２と１対１で対応付けられ、対応する移動機器２に装着されている。各無線表示器１０と、管理サーバ４０と、はネットワークＮＷ１及びネットワークＮＷ２を介して、互いに信号の送受信を行う。
【００２９】
ネットワークＮＷ１は、アクセスポイント３０によって構成される無線通信ネットワークである。ネットワークＮＷ２は、通信ケーブル、スイッチングハブ又はリピータハブ等を用いて医療施設１内に構築されたＬＡＮ（Local Area Network）である。各アクセスポイント３０及び管理サーバ４０は通信ケーブルを介してネットワークＮＷ２に接続されている。
【００３０】
また、各無線表示器１０及び各端末２０は、互いに所定の距離に近接することで通信（近距離無線通信）可能に構成されており、近距離無線通信により互いに信号の送受信を行う。
【００３１】
本実施形態において「無線通信」は、いわゆるWi-Fi（登録商標）やBluetooth（登録商標）等、無線LANにおいて所定の周波数（例えば２．４GHzや５GHz）を用いて行われる無線通信を想定している。また、「近距離無線通信」は、いわゆるNFC（Near Field Communication）等の通信規格であり、無線通信とは異なる周波数（例えば１３．５６ＭＨｚ）を用いて数センチからおよそ1メートル程度の近距離における通信を可能とする通信方式を想定している。
【００３２】
（２）機器管理システム１００の詳細
（２−１）無線表示器１０
図２は、無線表示器１０の正面外観図である。図３は、無線表示器１０の概略構成を示したブロック図である。
【００３３】
無線表示器１０は、中継装置（アクセスポイント３０）との電波を用いた電波通信方式による無線通信を介して、管理サーバ４０と互いに信号の送受信を行う。また、無線表示器１０は、近距離無線通信機能を有しており、端末２０と近距離無線通信を行う。
【００３４】
無線表示器１０は、無線通信により受信した表示データに基づき、情報（表示情報）を表示する。また、無線表示器１０は、所定のタイミングに応じて、管理サーバ４０に向けて信号を送信する。例えば、無線表示器１０は、近距離無線通信によって端末２０から送信された利用開始手続を行う旨の信号（利用開始信号）又は利用終了手続を行う旨の信号（利用終了信号）を受信した際には、係る信号に自己のＩＤ情報を含めた利用状況通知信号（利用状況通知情報）を管理サーバ４０へ宛てて送信する。
【００３５】
無線表示器１０は、外郭を構成する表示器ケーシング１０１を有している。無線表示器１０は、表示器ケーシング１０１内に、他の機器と無線通信を行う通信モジュールを含む無線通信部１１と、他の機器と近距離無線通信を行う近距離通信モジュールを含む近距離無線通信部１２と、表示情報を表示する情報表示部１３と、各部に駆動電源を供給する電源部１４と、各部の動作を制御する表示器制御部１５と、を有している。
【００３６】
（２−１−１）表示器ケーシング１０１
表示器ケーシング１０１は、薄型の略直方体状の筐体である。表示器ケーシング１０１の正面（一方主面）には、大きな開口が形成されており、当該開口を介して、情報表示部１３（より詳細には情報表示部１３のカバー部分）が外部に露出している。
【００３７】
（２−１−２）無線通信部１１
無線通信部１１は、アクセスポイント３０と電波を用いた無線通信（より詳細にはネットワークＮＷ１を介した管理サーバ４０との通信）を行うためのモジュールである。本実施形態において、無線通信部１１は、所定周波数の電波を使用して無線通信を行うためのアンテナ、通信回路及びベースバンドＬＳＩを含んでいる。
【００３８】
（２−１−３）近距離無線通信部１２
近距離無線通信部１２は、無線表示器１０及び端末２０間における近距離無線通信を行うためのユニットである。近距離無線通信部１２は、端末２０の端末通信部２１に接近されることで、磁界を発生させ端末２０の端末通信部２１内のアンテナに誘導電流を生じさせる。これにより、近距離無線ネットワークＮＷ３が形成され、無線表示器１０及び端末２０間において近距離無線通信（信号の送受信）が可能となる。
【００３９】
なお、ケーシング３１の表面には、スタッフＳＴが無線表示器１０及び端末２０間における近距離無線通信を行う際（すなわち、端末２０を近距離無線通信部１２に接近させる際）に近距離無線通信部１２の位置を把握しやすいように、正面視において近距離無線通信部１２に重畳する位置に、所定のマーク及びテキストが印字されたラベル１２ａが貼り付けられている。
【００４０】
（２−１−４）情報表示部１３
情報表示部１３は、電気泳動方式、電子粉流体方式、液晶方式、又はエレクトロウェッティング方式等の電子ペーパを有している（図示省略）。情報表示部１３は、表示器制御部１５と電気的に接続されており、表示器制御部１５によって電子ペーパの動作を制御される。情報表示部１３は、表示器制御部１５から所定の駆動電圧を供給されることで、管理サーバ４０から送信された表示データに基づく表示情報（移動機器２に関する情報）を表示する。
【００４１】
（２−１−５）電源部１４
電源部１４は、無線表示器１０の駆動電源を供給するためのユニットである。電源部１４は、リチウム電池等の電池を含んでいる（図示省略）。
【００４２】
（２−１−６）表示器制御部１５
表示器制御部１５は、無線表示器１０の動作を制御する機能部である。表示器制御部１５は、ＣＰＵ及びメモリを含むマイクロコンピュータを有している。表示器制御部１５は、主として、表示器記憶部１５１と、表示制御部１５２と、登録制御部１５３と、応答信号生成部１５４と、を含んでいる。
【００４３】
表示器記憶部１５１は、ＲＡＭ、ＲＯＭ及びフラッシュメモリ等のメモリで構成され、複数の記憶領域を含んでいる。例えば、表示器記憶部１５１にはプログラム記憶領域Ｍ１が含まれる。プログラム記憶領域Ｍ１には、表示器制御部１５の処理や、他の装置との通信に使用される通信プロトコル等が定義された制御プログラムが格納されている。
【００４４】
また、表示器記憶部１５１にはＩＤ記憶領域Ｍ２が含まれている。ＩＤ記憶領域Ｍ２には、無線表示器１０の装置ＩＤ（表示器ＩＤ）が記憶されている。表示器ＩＤは、無線通信における無線表示器１０の通信アドレスとして用いられる。
【００４５】
また、表示器記憶部１５１には表示データ記憶領域Ｍ３が含まれている。表示データ記憶領域Ｍ３には、受信した表示データが記憶される。
【００４６】
また、表示器記憶部１５１には端末２０から送信された信号を記憶する登録データ記憶領域Ｍ４が含まれる。登録データ記憶領域Ｍ４には、近距離無線通信部１２を介して受信した利用開始信号及び利用終了信号が記憶される。
【００４７】
また、表示器記憶部１５１には管理サーバ４０から送信された生存確認信号（後述）を記憶する生存確認信号記憶領域Ｍ５が含まれる。生存確認信号記憶領域Ｍ５には、受信した生存確認信号が記憶される。
【００４８】
表示制御部１５２は、制御プログラムに沿って情報表示部１３の動作を制御する。表示制御部１５２は、表示データ記憶領域Ｍ３に記憶されている（すなわち、管理サーバ４０から送信された）表示データを取得する。表示制御部１５２は、取得した表示データに基づく表示情報が情報表示部１３において表示されるように、情報表示部１３に対して所定の電圧を供給する。
【００４９】
登録制御部１５３は、制御プログラムに沿って利用開始手続及び利用終了手続に係る処理を担う。具体的に、登録制御部１５３は、登録データ記憶領域Ｍ４に利用開始信号及び利用終了信号のいずれかが格納されると、当該信号及びＩＤ記憶領域Ｍ２に含まれる表示器ＩＤを含む利用状況通知信号を、無線通信部１１から管理サーバ４０に宛てて送信する。
【００５０】
応答信号生成部１５４は、生存確認信号記憶領域Ｍ５に生存確認信号が格納されると、係る信号に対する応答信号を生成して、無線通信部１１から管理サーバ４０に宛てて送信する。係る応答信号には、無線表示器１０の装置ＩＤが含まれる。応答信号生成部１５４は、応答信号の送信後、生存確認信号記憶領域Ｍ５に記憶されている生存確認信号を削除する。
【００５１】
（２−２）端末２０（情報処理端末）
図４は、端末２０の概略構成を示したブロック図である。端末２０は、各スタッフＳＴが移動機器２に関して利用開始手続又は利用終了手続を行うための機器である。端末２０は、例えば、スマートフォンやタブレットＰＣ等の携帯通信端末を想定している。端末２０は、主として、端末通信部２１と、端末電源部２２と、端末入力部２３と、端末制御部２４と、を有している。
【００５２】
（２−２−１）端末通信部２１
端末通信部２１は、無線表示器１０に対し所定の出力信号（利用開始信号又は利用終了信号）を送信するためのユニットである。端末通信部２１は、近距離無線通信用のアンテナ及びリーダ／ライタを含む。本実施形態では、端末通信部２１と、無線表示器１０（より詳細には、無線表示器１０の近距離無線通信部１２）と、が接近することにより無線表示器１０及び端末２０間における近距離無線通信が行われる。
【００５３】
（２−２−２）端末電源部２２
端末電源部２２は、端末２０の駆動電源を供給するためのユニットである。端末電源部２２は、リチウム電池等の電池を含んでいる（図示省略）。
【００５４】
（２−２−３）端末入力部２３
端末入力部２３は、スタッフＳＴがコマンドを入力するための入力キー（図示省略）を含む。スタッフＳＴは、係る入力キーを介して利用開始手続及び利用終了手続のいずれを行うか（すなわち、利用開始信号及び利用終了信号のいずれを送信させるか）を選択可能である。
【００５５】
（２−２−４）端末制御部２４
端末制御部２４は、端末２０の動作を制御する機能部である。端末制御部２４は、ＣＰＵ及びメモリを含むマイクロコンピュータを有している。端末制御部２４は、主として、端末記憶部２４１と、出力制御部２４２と、を含んでいる。
【００５６】
端末記憶部２４１（識別情報記憶部）は、ＲＡＭ、ＲＯＭ及びフラッシュメモリ等のメモリで構成され、複数の記憶領域を含んでいる。端末記憶部２４１にはプログラム記憶領域Ｍ１１が含まれ、プログラム記憶領域Ｍ１１には端末制御部２４の処理や、他の装置との通信に使用される通信プロトコル等が定義された制御プログラムが格納されている。また、端末記憶部２４１にはＩＤ記憶領域Ｍ１２が含まれ、ＩＤ記憶領域Ｍ１２には端末２０の識別情報に相当する装置ＩＤ（端末ＩＤ）が記憶されている。また、端末記憶部２４１には入力信号記憶領域Ｍ１３が含まれ、入力信号記憶領域Ｍ１３には、端末入力部２３を介して入力されたコマンドが記憶されている。
【００５７】
出力制御部２４２は、端末通信部２１を介して無線表示器１０との近距離無線通信が開始されると、入力信号記憶領域Ｍ１３に格納されたコマンドに基づき、利用開始信号又は利用終了信号を端末通信部２１から無線表示器１０に対して送信する。この際、出力制御部２４２は、ＩＤ記憶領域Ｍ１２に含まれる端末ＩＤ（識別情報）を含めて信号を送信する。
【００５８】
（２−３）アクセスポイント３０
アクセスポイント３０は、各無線表示器１０と、管理サーバ４０と、の間で送受信される各種信号を中継する中継装置としての役割を担っている。アクセスポイント３０は、所定のプロトコルを用いて管理サーバ４０及び無線表示器１０と通信を行う。各アクセスポイント３０は、医療施設１の天井や側壁等に、他のアクセスポイント３０と所定の間隔を空けて設置されている。
【００５９】
アクセスポイント３０は、管理サーバ４０から送られた表示データを受信し、表示データの宛先として指定されている無線表示器１０に対して送信（転送）する。また、アクセスポイント３０は、無線表示器１０から送られた利用状況通知信号を受信し、管理サーバ４０に対して送信（転送）する。この際、アクセスポイント３０は、自己の通信アドレスを付加して信号を送信する。
【００６０】
（２−４）管理サーバ４０
管理サーバ４０は、移動機器２の貸出状況、及び無線表示器１０における表示情報の表示状態を管理する管理装置として機能するコンピュータである。
【００６１】
図５は、管理サーバ４０の概略構成を示したブロック図である。管理サーバ４０は、ＣＰＵや、ＲＡＭ、ＲＯＭ、フラッシュメモリ及びＨＤＤ等のメモリを含み、管理装置として要求される処理を実行するための機能部として、主に、サーバ入出力部４１と、サーバ通信部４２と、サーバ記憶部４３と、入出力制御部４４と、通信制御部４５と、貸出管理部４６と、位置検出部４７と、利用履歴管理部４８と、表示データ生成部４９と、を有している。
【００６２】
（２−４−１）サーバ入出力部４１
サーバ入出力部４１は、システム管理者がコマンドを入力し、また、システム管理者に対して情報を表示するインターフェースとしての役割を果たす。サーバ入出力部４１は、入力部としてのキーボードと、出力部としての液晶ディスプレイと、を含む（図示省略）。
【００６３】
（２−４−２）サーバ通信部４２
サーバ通信部４２は、アクセスポイント３０との通信（より詳細にはアクセスポイント３０を介した無線表示器１０との通信）を行うための通信回路及びベースバンドＬＳＩを含んでいる。サーバ通信部４２は、無線表示器１０と通信可能な態様でネットワークＮＷ２に接続されている。
【００６４】
（２−４−３）サーバ記憶部４３（利用状況記憶部）
サーバ記憶部４３は、所定の記憶容量を含むメモリであり、主として、プログラム記憶領域４３１と、表示データ記憶領域４３２と、端末所持者記憶領域４３３と、表示器設置情報記憶領域４３４と、ＡＰ設置位置記憶領域４３５と、利用状況記憶領域４３６と、利用履歴記憶領域４３７と、信号記憶領域４３８と、を含んでいる。
【００６５】
プログラム記憶領域４３１は、管理サーバ４０の処理や、他の装置との通信に使用される通信プロトコル等が定義された制御プログラムを記憶している。
【００６６】
表示データ記憶領域４３２は、表示データ生成部４９によって生成された表示データを記憶する。
【００６７】
端末所持者記憶領域４３３は、端末所持者テーブルＴＢ１を記憶している。図６は、端末所持者テーブルＴＢ１の模式図である。端末所持者テーブルＴＢ１は、端末２０と、当該端末２０を割り当てられたスタッフＳＴ（所持者）と、の関係を定義したテーブルである。具体的に、端末所持者テーブルＴＢ１においては、端末２０の端末ＩＤと、当該端末２０を割り当てられているスタッフＳＴの氏名、スタッフコード、及び所属部署が関連付けられて登録されている。係る端末所持者テーブルＴＢ１を参照することで、各端末２０の所持者を特定可能である。端末所持者テーブルＴＢ１は、医療施設１内において、スタッフＳＴに対して新たに端末２０が割り当てられる際、システム管理者によって、サーバ入出力部４１に所定の情報を入力されることで生成又は更新される。
【００６８】
表示器設置情報記憶領域４３４は、表示器設置テーブルＴＢ２を記憶している。図７は、表示器設置テーブルＴＢ２の模式図である。表示器設置テーブルＴＢ２は、無線表示器１０と、当該無線表示器１０を装着された移動機器２と、の関係を定義したテーブルである。具体的に、表示器設置テーブルＴＢ２においては、無線表示器１０の表示器ＩＤと、当該無線表示器１０を装着されている移動機器２の機器識別番号と、が関連付けられて登録されている。係る表示器設置テーブルＴＢ２を参照することで、各無線表示器１０が装着されている移動機器２を特定可能である。表示器設置テーブルＴＢ２は、医療施設１内において、移動機器２と無線表示器１０とが新たに対応付けられる際（すなわち、移動機器２に対して新たに無線表示器１０が装着される際）、システム管理者によって、サーバ入出力部４１に所定の情報を入力されることで生成又は更新される。
【００６９】
ＡＰ設置位置記憶領域４３５は、ＡＰ設置テーブルＴＢ３を記憶している。図８は、ＡＰ設置テーブルＴＢ３の模式図である。ＡＰ設置テーブルＴＢ３は、各アクセスポイント３０と、その設置位置と、の関係を定義したテーブルである。具体的に、ＡＰ設置テーブルＴＢ３においては、アクセスポイント３０の装置ＩＤと、その通信アドレスと、その設置位置と、が関連付けられて登録されている。係るＡＰ設置テーブルＴＢ３を参照することで、各アクセスポイント３０の設置場所を特定可能である。ＡＰ設置テーブルＴＢ３は、医療施設１内において、新たにアクセスポイント３０が設置される際、システム管理者によって、サーバ入出力部４１に所定の情報を入力されることで生成又は更新される。
【００７０】
利用状況記憶領域４３６は、機器利用状況テーブルＴＢ４を記憶している。図９は、機器利用状況テーブルＴＢ４の模式図である。機器利用状況テーブルＴＢ４は、利用開始手続を経て貸し出されている移動機器２（貸出移動機器２）を管理するためのテーブルである。機器利用状況テーブルＴＢ４においては、各貸出移動機器２の機器識別番号と、利用者（スタッフＳＴ）を特定する情報（スタッフコード）と、利用開始日時と、所在位置と、が関連付けられて登録されている。なお、後述するが、貸出移動機器２の所在位置は、位置検出部４７によって検出される。機器利用状況テーブルＴＢ４を参照することで、各移動機器２の貸出状況、利用者、利用開始時間及び所在位置を特定可能である。機器利用状況テーブルＴＢ４は、所定のタイミングで、貸出管理部４６、位置検出部４７、又は利用履歴管理部４８によって、更新される。
【００７１】
利用履歴記憶領域４３７は、利用履歴テーブルＴＢ５を記憶している。利用履歴テーブルＴＢ５は、各移動機器２の利用履歴を管理するためのテーブルであり、移動機器２別に作成される。図１０は、利用履歴テーブルＴＢ５の模式図である。利用履歴テーブルＴＢ５においては、各移動機器２の機器識別番号と、過去の利用者（スタッフＳＴ）を特定する情報（スタッフコード）と、過去の移動機器２の所在位置別の利用日時及び利用時間と、が関連付けられて登録されている。係る利用履歴テーブルＴＢ５を参照することで、各移動機器２の過去における利用者、所在位置別の利用日時及び利用時間を特定可能である。すなわち、利用履歴テーブルＴＢ５を参照することで、各移動機器２に関して「いつ、誰が、どこで、利用していたか」を特定可能である。利用履歴テーブルＴＢ５は、所定のタイミングで、利用履歴管理部４８によって、更新される。
【００７２】
信号記憶領域４３８は、他の機器から送信された信号を記憶している。信号記憶領域４３８には、例えば、各無線表示器１０から送信される利用開始信号及び利用終了信号が格納される。
【００７３】
（２−４−４）入出力制御部４４
入出力制御部４４は、サーバ入出力部４１に関する制御を行う機能部である。入出力制御部４４は、サーバ入出力部４１に入力された信号を、サーバ記憶部４３の所定の記憶領域に格納する。また、入出力制御部４４は、サーバ記憶部４３の所定の記憶領域に格納されたデータを、サーバ入出力部４１において出力させる。
【００７４】
（２−４−５）通信制御部４５
通信制御部４５は、他の機器との信号の送受信に関する制御を行う機能部である。
【００７５】
また、通信制御部４５は、所定時間ｔ１が経過する毎に、各無線表示器１０に対して所定の信号（生存確認信号）をサーバ通信部４２から送信させる。なお、本実施形態において、所定時間ｔ１は、１分に設定されている。
【００７６】
また、通信制御部４５は、表示データ記憶領域４３２に新たに格納された表示データを、対応する無線表示器１０に対してサーバ通信部４２から送信させる。
【００７７】
通信制御部４５は、サーバ通信部４２を介して受信した信号（例えば、利用開始信号、利用終了信号、及び応答信号等）をサーバ記憶部４３の信号記憶領域４３８において個別に格納する。この際、通信制御部４５は、受信日時に関する情報を含めて格納する。
【００７８】
（２−４−６）貸出管理部４６（利用者特定部）
貸出管理部４６は、所定のタイミングで機器利用状況テーブルＴＢ４を更新する機能部である。具体的に、貸出管理部４６は、信号記憶領域４３８に新たな利用開始信号が格納されると、これを解読して、利用開始信号の送信元の無線表示器１０の表示器ＩＤ及び端末２０の端末ＩＤを特定する。
【００７９】
貸出管理部４６は、特定した端末ＩＤに基づき、端末所持者テーブルＴＢ１から、利用開始信号を送信させたスタッフＳＴ（より詳細には利用者であるスタッフＳＴのスタッフコード）を特定する。また、貸出管理部４６は、特定した表示器ＩＤに基づき、表示器設置テーブルＴＢ２から、利用開始信号に係る貸出移動機器２（より詳細には貸出移動機器２の機器識別番号）を特定する。そして、貸出管理部４６は、特定した貸出移動機器２に関して、機器識別番号、利用者（スタッフコード）、及び利用開始信号の受信日時に係る情報を機器利用状況テーブルＴＢ４において新たに登録することで、機器利用状況テーブルＴＢ４の更新を行う。
【００８０】
（２−４−７）位置検出部４７（位置特定部）
位置検出部４７は、所定のタイミングで、移動機器２の所在位置を検出し、検出結果に基づき機器利用状況テーブルＴＢ４を更新する処理を実行する機能部である。本実施形態において、位置検出部４７は、所定時間ｔ２が経過する毎に係る更新処理を行う。本実施形態において、所定時間ｔ２は１分に設定されている。
【００８１】
具体的に、位置検出部４７は、係る処理において、信号記憶領域４３８に格納されている各無線表示器１０から送信された応答信号を解読して、応答信号に係る送信元の無線表示器１０の表示器ＩＤと、転送元のアクセスポイント３０の通信アドレスと、を特定する。
【００８２】
位置検出部４７は、特定した表示器ＩＤに基づき、表示器設置テーブルＴＢ２から、当該表示器ＩＤに係る無線表示器１０を装着された移動機器２（より詳細には移動機器２の機器識別番号）を特定する。また、位置検出部４７は、特定したアクセスポイント３０の通信アドレスに基づき、ＡＰ設置テーブルＴＢ３から、アクセスポイント３０の設置場所を特定する。位置検出部４７は、特定したアクセスポイント３０の設置場所を、応答信号の送信元に係る無線表示器１０の所在位置（すなわち、当該無線表示器１０を装着された移動機器２の所在位置）として特定する。そして、位置検出部４７は、機器利用状況テーブルＴＢ４において、特定した所在位置を対応する移動機器２に関する情報として登録して、機器利用状況テーブルＴＢ４を更新する。
【００８３】
（２−４−８）利用履歴管理部４８（利用時間特定部）
利用履歴管理部４８は、所定のタイミングで機器利用状況テーブルＴＢ４を更新する機能部である。具体的に、利用履歴管理部４８は、信号記憶領域４３８に新たな利用終了信号が格納されると、これを解読して、利用終了信号の送信元の無線表示器１０の表示器ＩＤ及び端末２０の端末ＩＤを特定する。
【００８４】
利用履歴管理部４８は、特定した端末ＩＤに基づき、端末所持者テーブルＴＢ１から、利用終了信号を送信させたスタッフＳＴ（より詳細にはスタッフコード）を特定する。また、利用履歴管理部４８は、特定した表示器ＩＤに基づき、表示器設置テーブルＴＢ２から、利用終了信号に係る貸出移動機器２（より詳細には機器識別番号）を特定する。そして、利用履歴管理部４８は、特定した貸出移動機器２に関する機器識別番号、利用者（スタッフコード）、及び利用開始信号の受信日時に係る情報を、機器利用状況テーブルＴＢ４から削除することで、機器利用状況テーブルＴＢ４の更新を行う。
【００８５】
また、利用履歴管理部４８は、所定のタイミングで利用履歴テーブルＴＢ５を更新する機能部でもある。具体的に、利用履歴管理部４８は、所定時間ｔ２が経過する毎に機器利用状況テーブルＴＢ４（特に、各貸出移動機器２の「所在位置」）を参照し、参照した情報に基づき利用履歴テーブルＴＢ５を更新する。本実施形態において、所定時間ｔ２は１分に設定されている。なお、利用履歴管理部４８は、算出時の日時から利用場所における「利用日時」（図１０）を減算することで、各貸出移動機器２の利用場所別の利用時間を算出する。
【００８６】
（２−４−９）表示データ生成部４９
表示データ生成部４９は、無線表示器１０に対して送信する表示データを生成する機能部である。表示データ生成部４９は、サーバ入出力部４１を介して入力されたコマンドに基づき表示データを生成する。
【００８７】
また、表示データ生成部４９は、貸出移動機器２に装着されている無線表示器１０に対して、係る貸出移動機器２が利用中（貸出中）であることを判別可能とする表示データ（利用表示データ）を生成する。利用表示データは、貸出移動機器２が利用中であることを示す情報、及び貸出移動機器２の利用者を特定する情報（利用者情報）、及び利用開始日時を示す情報を含む。図１１は、利用表示データが無線表示器１０において表示情報として表示される際の一例を示した模式図である。図１１には、無線表示器１０の情報表示部１３において、対応する移動機器２が利用中であることを示すテキスト「利用中」、利用者（スタッフコード）を示すテキスト「利用者：０４２６」、利用開始日時を示すテキスト「利用開始：2015/09/12/11:05」が表示される様子が示されている。
【００８８】
また、表示データ生成部４９は、利用されていない（貸し出されていない）移動機器２に装着されている無線表示器１０に対して、係る貸出移動機器２が貸し出されていないこと、すなわち利用可能（貸出可能）であることを判別可能とする表示データ（利用可能表示データ）を生成する。図１２は、利用可能表示データが無線表示器１０において表示情報として表示される際の一例を示した模式図である。図１２には、無線表示器１０の情報表示部１３において、対応する移動機器２が利用可能であることを示すテキスト「利用可能」が表示される様子が示されている。
【００８９】
また、表示データ生成部４９は、機器利用状況テーブルＴＢ４を定期的に参照し、利用時間が所定の閾値ΔＴＨを超えている貸出移動機器２の有無を判定する。そして、表示データ生成部４９は、係る貸出移動機器２に装着されている無線表示器１０に対して、規定される利用時間（閾値ΔＴＨ）を越えて利用されていることを判別可能とする表示データ（時間超過表示データ）を生成する。図１３は、時間超過表示データが無線表示器１０において表示情報として表示される際の一例を示した模式図である。図１３には、無線表示器１０の情報表示部１３において、対応する貸出移動機器２が規定される利用時間を越えて利用されていることを示すテキスト「利用時間超過」、及び係る貸出移動機器２の返却を促すテキスト「直ちに返却して下さい。」が表示される様子が示されている。なお、閾値ΔＴＨは、システム管理者によって予め設定される。また、表示データ生成部４９は、算出時の日時から利用開始日時を減算することで、各貸出移動機器２の利用時間を算出する。
【００９０】
（３）各部における処理の流れ
（３−１）無線表示器１０の処理の流れ
図１４は、無線表示器１０の処理の流れの一例を示したフローチャートである。無線表示器１０は、以下のステップＳ１０１からステップＳ１０６に示すような流れで処理を実行する。なお、ステップＳ１０１―Ｓ１０６の処理の流れについては、適宜変更が可能であり、矛盾が生じない範囲で処理の順序を入れ換えてもよいし、処理を削除又は追加してもよい。
【００９１】
ステップＳ１０１において、無線表示器１０は、無線通信により生存確認信号を受信しない場合（すなわち、ＮＯの場合）には、ステップＳ１０３へ進む。一方、無線通信により生存確認信号を受信した場合（すなわち、ＹＥＳの場合）には、ステップＳ１０２へ進む。
【００９２】
ステップＳ１０２において、無線表示器１０は、受信した生存確認信号に対する応答信号を、管理サーバ４０へ宛てて送信する。その後、ステップＳ１０３へ進む。
【００９３】
ステップＳ１０３において、無線表示器１０は、近距離無線通信により利用開始信号及び利用終了信号のいずれも受信しない場合（すなわち、ＮＯの場合）には、ステップＳ１０５へ進む。一方、近距離無線通信により利用開始信号及び利用終了信号のいずれかを受信した場合（すなわち、ＹＥＳの場合）には、ステップＳ１０４へ進む。
【００９４】
ステップＳ１０４において、無線表示器１０は、受信した利用開始信号又は利用終了信号に表示器ＩＤを含めた利用状況通知信号を、管理サーバ４０へ宛てて送信する。その後、ステップＳ１０５へ進む。
【００９５】
ステップＳ１０５において、無線表示器１０は、無線通信により表示データを受信しない場合（すなわち、ＮＯの場合）には、ステップＳ１０１に戻る。一方、無線通信により表示データを受信した場合（すなわち、ＹＥＳの場合）には、ステップＳ１０６へ進む。
【００９６】
ステップＳ１０６において、無線表示器１０は、表示データにおいて指定される出力態様で、表示情報を出力（表示）する。その後、ステップＳ１０１に戻る。
【００９７】
（３−２）管理サーバ４０の処理の流れ
図１５は、管理サーバ４０の処理の流れの一例を示したフローチャートである。管理サーバ４０は、例えば、図１５に示すステップＳ２０１からステップＳ２１２に示すような流れで処理を実行する。なお、ステップＳ２０１−Ｓ２１２に示す処理の流れについては、適宜変更が可能であり、矛盾が生じない範囲で処理の順序を入れ換えてもよいし、処理を削除又は追加してもよい。
【００９８】
ステップＳ２０１において、管理サーバ４０は、利用状況通知信号を受信しない場合（すなわち、ＮＯの場合）には、ステップＳ２０４へ進む。一方、利用状況通知信号を受信した場合（すなわち、ＹＥＳの場合）には、ステップＳ２０２へ進む。
【００９９】
ステップＳ２０２において、管理サーバ４０は、端末所持者テーブルＴＢ１及び表示器設置テーブルＴＢ２を参照して、受信した利用状況通知信号に基づき、利用開始信号又は利用終了信号を送信させたスタッフＳＴ、及び利用開始信号又は利用終了信号に係る貸出移動機器２を特定する。そして、管理サーバ４０は、特定した貸出移動機器２に関して、機器識別番号、利用者（スタッフコード）、及び利用開始信号の受信日時に係る情報を機器利用状況テーブルＴＢ４において新たに登録することで、機器利用状況テーブルＴＢ４を更新する。その後、ステップＳ２０３へ進む。
【０１００】
ステップＳ２０３において、管理サーバ４０は、表示データを生成する。より詳細には、管理サーバ４０は、ステップＳ２０１において受信した利用状況通知信号に利用開始信号が含まれていた場合には、利用表示データ（図１１参照）を生成する。一方、ステップＳ２０１において受信した利用状況通知信号に利用終了信号が含まれていた場合には、管理サーバ４０は、利用可能表示データ（図１２参照）を生成する。その後、ステップＳ２０４へ進む。
【０１０１】
ステップＳ２０４において、管理サーバ４０は、表示器設置テーブルＴＢ２に登録されている無線表示器１０のうち、最後の生存確認信号を送信してから所定時間ｔ１を経過する無線表示器１０がない場合（すなわち、ＮＯの場合）には、ステップＳ２０６へ進む。一方、係る無線表示器１０がある場合（すなわち、ＹＥＳの場合）には、ステップＳ２０５へ進む。
【０１０２】
ステップＳ２０５において、管理サーバ４０は、最後の生存確認信号を送信してから所定時間ｔ１が経過する無線表示器１０に対して、生存確認信号を送信する。その後、ステップＳ２０６へ進む。
【０１０３】
ステップＳ２０６において、管理サーバ４０は、送信した生存確認信号に対する応答信号を受信しない場合（すなわち、ＮＯの場合）には、ステップＳ２０８へ進む。一方、送信した生存確認信号に対する応答信号を受信した場合（すなわち、ＹＥＳの場合）には、ステップＳ２０７へ進む。
【０１０４】
ステップＳ２０７において、管理サーバ４０は、受信した応答信号をサーバ記憶部４３（信号記憶領域４３８）に格納する。その後、ステップＳ２０９へ進む。
【０１０５】
ステップＳ２０８において、管理サーバ４０は、送信した生存確認信号に対する応答信号を、所定の時間を越えて受信しない無線表示器１０がある場合には、係る無線表示器１０と通信が行えない状態にあることを示す情報をサーバ入出力部４１に表示させることで、システム管理者に報知する。その後、ステップＳ２０９へ進む。
【０１０６】
ステップＳ２０９において、管理サーバ４０は、利用履歴テーブルＴＢ５を更新してから所定時間ｔ２が経過しない場合（すなわち、ＮＯの場合）には、ステップＳ２１１へ進む。一方、利用履歴テーブルＴＢ５を更新してから所定時間ｔ２が経過する場合（すなわち、ＹＥＳの場合）には、ステップＳ２１０へ進む。
【０１０７】
ステップＳ２１０において、管理サーバ４０は、機器利用状況テーブルＴＢ４を参照し、参照した情報（各貸出移動機器２の「所在位置」）に基づき、利用履歴テーブルＴＢ５を更新する。その後、ステップＳ２１１へ進む。
【０１０８】
ステップＳ２１１において、管理サーバ４０は、貸出移動機器２の利用時間を算出し、利用時間（利用開始からの時間）がΔＴＨを超える貸出移動機器２がない場合（すなわち、ＮＯの場合）には、ステップＳ２０１に戻る。一方、管理サーバ４０は、利用時間（利用開始からの時間）がΔＴＨを超える貸出移動機器２がある場合（すなわち、ＹＥＳの場合）には、ステップＳ２１２へ進む。
【０１０９】
ステップＳ２１２において、管理サーバ４０は、時間超過表示データを生成し、利用時間（利用開始からの時間）がΔＴＨを超える貸出移動機器２に対応する無線表示器１０に対して送信する。その後、ステップＳ２０１に戻る。
【０１１０】
（４）機器管理システム１００の処理
図１６は、機器管理システム１００において、無線表示器１０、端末２０、アクセスポイント３０、及び管理サーバ４０間で行われる処理の一例を模式的に示したシーケンス図である。
【０１１１】
（４−１）期間Ｓ１
図１６の期間Ｓ１においては、利用開始手続に係る処理が示されている。期間Ｓ１に示すように、機器管理システム１００では、移動機器２の利用を開始するスタッフＳＴによって、当該移動機器２に装着された無線表示器１０に対して端末２０が接近されると、無線表示器１０及び端末２０間で近距離無線通信が行われ、端末２０から無線表示器１０へ利用開始信号が送られる。
【０１１２】
利用開始信号を受信した無線表示器１０は、当該利用開始信号と自己の表示器ＩＤを含む利用状況通知信号を、管理サーバ４０へ宛てて送信する。係る利用状況通知信号は、アクセスポイント３０によって中継され、管理サーバ４０へと送られる。
【０１１３】
利用状況通知信号を受信した管理サーバ４０は、係る信号に含まれる端末ＩＤ及び表示器ＩＤに基づき、利用開始手続に係る貸出移動機器２及び利用者（スタッフＳＴ）を特定し、特定内容に沿って機器利用状況テーブルＴＢ４を更新する。
【０１１４】
また、管理サーバ４０は、当該貸出移動機器２に宛てて利用表示データを送信する。係る利用表示データは、アクセスポイント３０によって中継され、無線表示器１０へと送られる。利用表示データを受信した無線表示器１０は、利用表示データの内容に沿って表示情報を表示する（図１１参照）。
【０１１５】
（４−２）期間Ｓ２−Ｓ３
図１６の期間Ｓ２及びＳ３においては、移動機器２（無線表示器１０）の所在位置の検出に係る処理、及び利用履歴テーブルＴＢ５の更新に係る処理が示されている。期間Ｓ２−Ｓ３に示すように、機器管理システム１００では、所定時間ｔ１が経過する毎に、管理サーバ４０から無線表示器１０に対して生存確認信号が送信される。生存確認信号は、アクセスポイント３０によって中継された無線表示器１０へ送られる。
【０１１６】
生存確認信号を受信した無線表示器１０は、管理サーバ４０へ宛てて応答信号を送信する。応答信号は、アクセスポイント３０によって中継された管理サーバ４０へと送られる。アクセスポイント３０は、係る中継の際に、利用状況通知信号に自己の通信アドレスを付加する。
【０１１７】
応答信号を受信した管理サーバ４０は、応答信号に含まれる表示器ＩＤ及びアクセスポイント３０の通信アドレスに基づき、無線表示器１０（すなわち、当該無線表示器１０を装着された移動機器２）の所在位置を特定する。移動機器２の所在位置を特定した管理サーバ４０は、特定内容に沿って機器利用状況テーブルＴＢ４及び利用履歴テーブルＴＢ５を更新する。なお、係る利用履歴テーブルＴＢ５の更新は、所定時間ｔ２が経過する毎に行われる。
【０１１８】
（４−３）期間Ｓ４
図１６の期間Ｓ４においては、利用終了手続に係る処理が示されている。期間Ｓ４に示すように、機器管理システム１００では、貸出移動機器２の利用を終了するスタッフＳＴによって、当該貸出移動機器２に装着された無線表示器１０に対して端末２０が接近されると、無線表示器１０及び端末２０間で近距離無線通信が行われ、端末２０から無線表示器１０へ利用終了信号が送られる。
【０１１９】
利用終了信号を受信した無線表示器１０は、当該利用終了信号と自己の表示器ＩＤとを含む利用状況通知信号を、管理サーバ４０は宛てて送信する。係る利用状況通知信号は、アクセスポイント３０によって中継され、管理サーバ４０へと送られる。
【０１２０】
利用状況通知信号を受信した管理サーバ４０は、係る信号に含まれる端末ＩＤ及び表示器ＩＤに基づき、利用終了手続に係る貸出移動機器２及び利用者（スタッフＳＴ）を特定し、特定内容に沿って機器利用状況テーブルＴＢ４を更新する。
【０１２１】
また、管理サーバ４０は、当該貸出移動機器２に宛てて利用可能表示データを送信する。係る利用可能表示データは、アクセスポイント３０によって中継され、無線表示器１０へと送られる。利用可能表示データを受信した無線表示器１０は、利用可能表示データの内容に沿って表示情報を表示する（図１２参照）。
【０１２２】
（５）機器管理システム１００の特徴
（５−１）
上記実施形態に係る機器管理システム１００によると、移動機器２の利用者（ＳＴ）の労力が軽減され、利便性が向上するとともに移動機器２の管理を高精度に行える。
【０１２３】
すなわち、病院や倉庫等の施設において、移動可能な機器（移動可能機器）の利用状況を管理サーバで管理する機器管理システムでは、利用者が移動可能機器の利用時に、情報処理端末から管理サーバに対して利用に係る移動可能機器や利用者等を特定する情報を送信することで、管理サーバにおいて移動可能機器の利用状況を登録する、という従来の思想を用いた場合、管理サーバにおいて移動可能機器の利用状況を登録する際（すなわち、移動可能機器を利用する際）に、人手を介して情報処理端末に所定の情報を入力する必要がある。このため、利用者は、移動可能機器の利用の都度、情報処理端末に情報を入力する労力を強いられる。また、情報処理端末に情報が誤って入力された場合には、管理サーバにおいて移動可能機器の利用状況が正確に登録されない。すなわち、移動可能機器の管理を精度よく行えないことも想定される。
【０１２４】
この点、上記実施形態に係る機器管理システム１００では、無線表示器１０は、近距離無線通信部１２において端末２０から送信された出力信号（利用開始信号又は利用終了信号）を受信することを契機として、移動機器２の利用開始又は利用終了に関する情報を含む利用状況通知信号を、無線通信部１１から管理サーバ４０に対して送信している。これにより、端末２０が無線表示器１０に対して接近されると、利用状況通知信号が無線表示器１０から管理サーバ４０に対して送信されるようになっている。
【０１２５】
その結果、管理サーバ４０において移動機器２の利用状況を登録する前提として、端末２０に利用状況通知信号が人手を介して入力されなくても、管理サーバ４０に対して移動機器２の利用状況を通知することが可能となっている。すなわち、機器管理システム１００では、移動機器２を利用する際に、利用者（スタッフＳＴ）は端末２０に利用状況に係る情報（対象となる移動機器２、利用者の氏名、使用時間等）を入力する必要がない。よって、利用者の労力が軽減されている。
【０１２６】
また、端末２０への情報の誤入力によって、管理サーバ４０において移動機器２の利用状況が正確に登録されない事態についても抑制されている。よって、利便性が向上するとともに移動機器２の管理を高精度に行えるようになっている。
【０１２７】
（５−２）
上記実施形態に係る機器管理システム１００では、管理サーバ４０は、サーバ記憶部４３において、受信する利用状況通知信号に基づき移動機器２の利用状況を記憶している。
【０１２８】
これにより、端末２０を無線表示器１０に対して接近させると、管理サーバ４０において移動機器２の利用状況が登録されるようになっている。すなわち、移動機器２を利用する際に、利用者が端末２０に利用状況通知信号を入力しなくても、管理サーバ４０において移動機器２の利用状況が自動的に登録されるようになっている。よって、利便性が向上するとともに、移動機器２の管理を高精度に行える。
【０１２９】
（５−３）
上記実施形態に係る機器管理システム１００では、端末２０は、端末記憶部２４１において端末２０を識別する情報である端末ＩＤを記憶しており、端末通信部２１から出力信号（利用開始信号又は利用終了信号）を送信する際、端末記憶部２４１に記憶される端末ＩＤを送信している。
【０１３０】
これにより、端末２０を無線表示器１０に対して接近させると、無線表示器１０に対して端末ＩＤが送信され、無線表示器１０から管理サーバ４０に対して係る端末ＩＤが送信することが可能となっている。すなわち、移動機器２の利用開始時に、端末２０が利用者によって無線表示器１０に対して接近されると、管理サーバ４０において端末ＩＤに基づき登録に係る処理を行うことが可能となっている。
【０１３１】
（５−４）
上記実施形態に係る機器管理システム１００では、無線表示器１０は、受信した端末ＩＤを、利用状況通知信号に含めて、無線通信部１１から管理サーバ４０に対して送信している。管理サーバ４０は、受信した利用状況通知信号に含まれる端末ＩＤに基づき、移動機器２の利用者を特定する貸出管理部４６を有している。
【０１３２】
これにより、移動機器２の利用開始時に、端末２０が利用者によって無線表示器１０に対して接近されると、管理サーバ４０において端末ＩＤに基づき利用者が特定されるようになっている。
【０１３３】
（５−５）
上記実施形態に係る機器管理システム１００では、管理サーバ４０は、貸出管理部４６によって特定された利用者に係る情報を含む利用表示データを、サーバ通信部４２から無線表示器１０に対して送信している。無線表示器１０は、受信した利用表示データを、情報表示部１３において表示している。これにより、貸出移動機器２に装着された無線表示器１０において利用者が表示されるようになっている。その結果、貸出移動機器２の利用者を視認者に対して報知することが可能となっている。
【０１３４】
（５−６）
上記実施形態に係る機器管理システム１００では、利用状況通知信号は、ネットワークＮＷ２を構成するアクセスポイント３０によって中継されることで、管理サーバ４０へ送られるようになっている。管理サーバ４０は、受信した利用状況通知信号に添付された中継元のアクセスポイント３０を特定する情報に基づき無線表示器１０の所在位置を特定することで、移動機器２の位置を特定する位置検出部４７を有している。
【０１３５】
これにより、管理サーバ４０において移動機器２の所在位置が特定されるようになっている。よって、利便性がさらに向上するとともに、移動機器２の管理をさらに詳細に行えるようになっている。
【０１３６】
（５−７）
上記実施形態に係る機器管理システム１００では、管理サーバ４０は、位置検出部４７によって所在位置を特定された移動機器２に関する表示データを表示データ生成部４９により生成し、サーバ通信部４２から対応する無線表示器１０に対して送信している。無線表示器１０は、受信した表示データを、情報表示部１３において表示している。
【０１３７】
これにより、管理サーバ４０において特定した移動機器２の所在位置に基づく表示データが生成され、係る表示データが無線表示器１０において表示されるようになっている。その結果、移動機器２が、所定の時間を超えて同一の所在位置に留まっている場合には、無線表示器１０において時間超過表示データに係る表示情報（移動機器２の返却を促す情報）を表示することが可能となっている。
【０１３８】
（５−８）
上記実施形態に係る機器管理システム１００では、管理サーバ４０は、受信した利用状況通知信号に基づき、移動機器２の利用時間を所在位置別に特定する利用履歴管理部４８をさらに有している。
【０１３９】
これにより、管理サーバ４０において、移動機器２の利用時間が所在位置別に特定され、特定された所在位置別の利用時間に基づき、利用履歴テーブルＴＢ５を生成可能となっている。その結果、所在位置別の利用時間に基づき、移動機器２の利用に関する各種情報管理を行うことが可能となっている。例えば、利用履歴テーブルＴＢ５を用いて移動機器２の所在位置毎の利用時間の集計を行うことも可能となっている。
【０１４０】
（５−９）
上記実施形態に係る機器管理システム１００では、端末２０は、スマートフォン又はタブレット等の携帯通信端末である。これにより、汎用的な携帯通信端末を端末２０として用いてシステムを構築することが可能となっており、システム構築に係るコストを抑制可能となっている。
【０１４１】
（６）変形例
上記実施形態の機器管理システム１００は、以下の変形例に示すように適宜変形が可能である。なお、各変形例は、矛盾が生じない範囲で他の変形例と組み合わせて適用されてもよい。
【０１４２】
（６−１）変形例Ａ
上記実施形態では、表示データ生成部４９は、機器利用状況テーブルＴＢ４を定期的に参照し、利用時間が所定の閾値ΔＴＨを超えている貸出移動機器２に装着されている無線表示器１０に対して時間超過表示データを送信して、係る無線表示器１０において規定される利用時間（閾値ΔＴＨ）を越えて利用されていることを判別可能とする表示情報を表示させていた（図１３参照）。
【０１４３】
係る時間超過表示データに代えて、又は時間超過表示データとともに、表示データ生成部４９は、所定の条件を満たす場合に他の表示データを生成して送信してもよい。
【０１４４】
例えば、表示データ生成部４９は、機器利用状況テーブルＴＢ４を定期的に参照し、貸出移動機器２が予め定められた利用範囲外（利用禁止区域）に所在する場合には、係る貸出移動機器２に装着されている無線表示器１０に対して規定される利用禁止区域で利用されていることを判別可能とする表示データ（警告表示データ）を送信するように構成してもよい。これにより、移動機器２が、利用禁止区域に留まっている場合には、無線表示器１０において警告表示データに係る表示情報（移動機器２の利用中止を警告する情報）が表示される。
【０１４５】
図１７は、警告表示データが無線表示器１０において表示情報として表示される際の一例を示した模式図である。図１７には、無線表示器１０の情報表示部１３において、対応する貸出移動機器２が規定される利用禁止区域で利用されていることを示すテキスト「利用禁止区域」、係る貸出移動機器２の利用中止を促すテキスト「利用を中止して下さい。」が表示される様子が示されている。
【０１４６】
このように、特定された移動機器２の所在位置や、所在位置別の利用時間に基づき、移動機器２の利用に関する各種情報管理を行うことが可能であり、移動機器２の管理を詳細に行うことが可能である。
【０１４７】
（６−２）変形例Ｂ
上記実施形態では、機器管理システム１００は、無線表示器１０と端末２０との近距離無線通信が行われることを契機として、無線表示器１０から利用状況通知信号が管理サーバ４０に対して送信されるように構成されていた。
【０１４８】
しかし、これに限定されず、無線表示器１０と端末２０との近距離無線通信が行われることを契機として、端末２０から利用状況通知信号が管理サーバ４０に対して送信されるように変更してもよい。係る場合、無線表示器１０は、端末２０との近距離無線通信によって表示器ＩＤを端末２０へ送信するように構成される。また、端末２０は、ネットワークＮＷ２にアクセス可能な無線通信機能を有し、受信した表示器ＩＤ、及び利用開始信号若しくは利用終了信号を含めた利用状況通知信号を管理サーバ４０に対して送信するように構成される。
【０１４９】
係る構成によっても、上記実施形態と同様の効果を実現可能である。
【０１５０】
（６−３）変形例Ｃ
上記実施形態では、管理サーバ４０は、無線表示器１０に対して定期的に生存確認信号を送信し、生存確認信号に対する応答信号に含まれるアクセスポイント３０の通信アドレスに基づき、無線表示器１０（移動機器２）の所在位置を特定していた。しかし、管理サーバ４０が無線表示器１０（移動機器２）の所在位置を特定する方法については、必ずしもこれに限定されず、設計仕様や設置環境に応じて適宜変更が可能である。
【０１５１】
例えば、無線表示器１０を、管理サーバ４０に対して定期的に信号を送信するように構成し、管理サーバ４０が、係る信号に含まれるアクセスポイント３０の通信アドレスに基づき、無線表示器１０（移動機器２）の所在位置を特定するように変更してもよい。
【０１５２】
また、例えば、無線表示器１０に、ＧＰＳ（Global Positioning System）等の位置確認用モジュールを組み込み、係るモジュールの位置を検出することで無線表示器１０（移動機器２）の所在位置を特定するように変更してもよい。
【０１５３】
（６−４）変形例Ｄ
上記実施形態では、端末２０は、例えば、スマートフォンやタブレットＰＣ等の情報処理端末を想定していた。しかし、端末２０は、無線表示器１０との近距離無線通信が可能に構成され、利用開始信号及び利用終了信号とともにスタッフＳＴの識別情報を無線表示器１０に送信可能な機器であればいかなるものであってもよい。例えば、端末２０は、ＩＣカード（integrated circuit card）やハンディターミナル等であってもよい。
【０１５４】
（６−５）変形例Ｅ
上記実施形態では、機器管理システム１００は、医療施設１に適用されていた。しかし、機器管理システム１００が適用される環境は、必ずしも医療施設１に限定されず、例えば配送センターや出荷センター等の物流センター、工場、商業施設、公共施設又はオフィスにおいて適用されてもよい。
【０１５５】
（６−６）変形例Ｆ
上記実施形態において、ネットワークＮＷ２は、医療施設１において構築されるＬＡＮであったが、公衆回線を用いて構築されるＷＡＮ（Wide Area Network）であってもよい。
【０１５６】
（６−７）変形例Ｇ
上記実施形態では、管理サーバ４０が生存確認信号を送信する間隔である所定時間ｔ１、管理サーバ４０が利用履歴テーブルＴＢ５を更新する間隔である所定時間ｔ２は、１分に設定されていた。しかし、所定時間ｔ１及びｔ２は、必ずしも１分には限定されず、設計仕様や設置環境に応じて適宜変更が可能である。例えば、所定時間ｔ１及びｔ２は、３分に設定されてもよいし、３０秒に設定されてもよい。また、所定時間ｔ１及びｔ２は、必ずしも同じ値に設定される必要はなく、異なる値を設定されてもよい。
【０１５７】
（６−８）変形例Ｈ
上記実施形態では、情報表示部１３は、電子ペーパを有していた。しかし、情報表示部１３は、電子ペーパに代えて、液晶及び液晶駆動電極部を含む液晶部を有していてもよい。係る場合には、表示器制御部１５によって液晶の動作の制御を行うように構成すればよい。
【０１５８】
（６−９）変形例Ｉ
上記実施形態では、無線表示器１０の台数、端末２０の台数、及びアクセスポイント３０の台数については、特に限定されていなかったが、機器管理システム１００では、設置環境に適した台数の無線表示器１０、端末２０、及びアクセスポイント３０を有していればよい。
【０１５９】
（６−１０）変形例Ｊ
上記実施形態において、管理サーバ４０に含まれるユニット（４４〜４９）のいずれかについては、必ずしも管理サーバ４０内に配置される必要はなく、通信可能な態様で配置される限り、他の機器内に配置されてもよいし、独立して配置されてもよい。また、管理サーバ４０に含まれるユニット（４４〜４９）のいずれかについては、通信可能な態様で配置される限り、医療施設１から離れた遠隔地に配置されてもよい。
【産業上の利用可能性】
【０１６０】
本発明は、機器管理システムに利用可能である。
【符号の説明】
【０１６１】
１                  ：医療施設
２                  ：移動機器（移動可能機器）
１０                ：無線表示器
１１                ：無線通信部
１２                ：近距離無線通信部
１３                ：情報表示部（表示部）
１５                ：表示器制御部
２０                ：端末（情報処理端末）
２１                ：端末通信部
２２                ：端末電源部
２３                ：端末入力部
２４                ：端末制御部
３０                ：アクセスポイント
４０                ：管理サーバ
４１                ：サーバ入出力部
４２                ：サーバ通信部
４３                ：サーバ記憶部（利用状況記憶部）
４４                ：入出力制御部
４５                ：通信制御部
４６                ：貸出管理部（利用者特定部）
４７                ：位置検出部（位置特定部）
４８                ：利用履歴管理部（利用時間特定部）
４９                ：表示データ生成部
１００              ：機器管理システム
１０１              ：表示器ケーシング
１５１              ：表示器記憶部
１５２              ：表示制御部
１５３              ：登録制御部
１５４              ：応答信号生成部
２４１              ：端末記憶部（識別情報記憶部）
２４２              ：出力制御部
ＮＷ１、ＮＷ２      ：ネットワーク（通信ネットワーク）
ＳＴ                ：スタッフ
ＴＢ１              ：端末所持者テーブル
ＴＢ２              ：表示器設置テーブル
ＴＢ３              ：ＡＰ設置テーブル
ＴＢ４              ：機器利用状況テーブル
ＴＢ５              ：利用履歴テーブル
【先行技術文献】
【特許文献】
【０１６２】
【特許文献１】特開２０１５−１７００００号公報
【図１】
2017117174.tif 000003
【図２】
2017117174.tif 000004
【図３】
2017117174.tif 000005
【図４】
2017117174.tif 000006
【図５】
2017117174.tif 000007
【図６】
2017117174.tif 000008
【図７】
2017117174.tif 000009
【図８】
2017117174.tif 000010
【図９】
2017117174.tif 000011
【図１０】
2017117174.tif 000012
【図１１】
2017117174.tif 000013
【図１２】
2017117174.tif 000014
【図１３】
2017117174.tif 000015
【図１４】
2017117174.tif 000016
【図１５】
2017117174.tif 000017
【図１６】
2017117174.tif 000018
【図１７】
2017117174.tif 000019